(57)【要約】【課題】電極組立体及び絶縁シートのケースへの挿入性を向上させることができる蓄電装置を提供すること。【解決手段】電極組立体を覆っている絶縁シート４０が展開されたとき、絶縁シート４０には、第３境界線Ｂ３及び前記第４境界線Ｂ４に沿って折り曲げられた第３折り曲げ線Ｂ３´及び第４折り曲げ線Ｂ４´上に配置される鋭角交点Ｐａを通るように形成され、第１境界線Ｂ１に沿って折り曲げられた第１折り曲げ線Ｂ１´と第３折り曲げ線Ｂ３´及び第４折り曲げ線Ｂ４´と交わるように、第２境界線Ｂ２に沿って折り曲げられた第２折り曲げ線Ｂ２´と第３折り曲げ線Ｂ３´及び第４折り曲げ線Ｂ４´と交わるように形成されるとともに一対の端面被覆部４１，４１を通過するように鋭角交点Ｐａのそれぞれから離間するように斜めに延びる斜め折り曲げ線Ｊが形成されている。【選択図】図４
2020047532.tif 000002
【特許請求の範囲】
【請求項１】
正極と負極とが積層されるとともに、積層方向に向かって延びる一端面にタブ群が前記積層方向に直交する方向に延在する電極組立体と、
前記電極組立体が挿入されるものであって前記電極組立体が挿入された状態で前記電極組立体との間に隙間が形成される有底角筒状の本体部材、及び当該本体部材の開口を塞ぐように設けられている蓋部材を有するケースと、
前記電極組立体を覆うように設けられることで前記電極組立体と前記ケースとを絶縁する絶縁シートと、を備えた蓄電装置であって、
前記絶縁シートは、前記電極組立体の前記積層方向の両端面を覆う一対の端面被覆部と、前記電極組立体の前記一端面と反対側の他端面を覆う底面被覆部と、前記電極組立体の前記両端面と前記電極組立体の前記他端面とに直交する前記電極組立体の両側面とを覆う一対の側面被覆部と、を備え、
前記絶縁シートが展開された状態において、前記絶縁シートは、矩形状をなし、前記一対の端面被覆部、及び前記一対の端面被覆部の間に挟まれるとともに第１境界線及び第２境界線を介して前記一対の端面被覆部と連続する前記底面被覆部を有するベース部と、前記ベース部を挟み込むとともに前記第１境界線及び前記第２境界線に直交する第３境界線及び第４境界線を介して前記ベース部と連続する前記一対の側面被覆部を有する延出部と、を備え、
前記一対の側面被覆部は、前記第１境界線及び前記第２境界線の延長線により３つのパーツに区分されており、
前記３つのパーツは、前記一対の端面被覆部の一方に連続する一対の第１パーツと、前記一対の端面被覆部の他方に連続する一対の第２パーツと、前記底面被覆部に連続する一対の第３パーツとで構成され、
前記電極組立体を前記絶縁シートで覆った状態で、前記一対の側面被覆部は、前記第３パーツが最外層に配置されるとともに前記第１パーツ、前記第２パーツ、及び前記第３パーツが重なるように折り曲げられることにより構成され、
前記電極組立体を覆っている前記絶縁シートが展開されたとき、前記絶縁シートには、前記第３境界線及び前記第４境界線に沿って折り曲げられた第３折り曲げ線及び第４折り曲げ線上に配置される鋭角交点を通るように形成され、前記第１境界線に沿って折り曲げられた第１折り曲げ線と前記第３折り曲げ線及び前記第４折り曲げ線と交わるように、前記第２境界線に沿って折り曲げられた第２折り曲げ線と前記第３折り曲げ線及び前記第４折り曲げ線と交わるように形成されるとともに前記一対の端面被覆部を通過するように前記鋭角交点のそれぞれから離間するように斜めに延びる斜め折り曲げ線が形成されていることを特徴とする蓄電装置。
【請求項２】
前記第３境界線及び前記第４境界線上に形成され、前記第１境界線、前記第２境界線、前記第３境界線、及び前記第４境界線が互いに直交する直角交点から規定の距離だけ離れた位置に前記鋭角交点が形成されるべき目標点が示されていることを特徴とする請求項１に記載の蓄電装置。
【発明の詳細な説明】
【技術分野】
【０００１】
本発明は、蓄電装置に関する。
【背景技術】
【０００２】
従来、電極組立体をケースに収容することにより構成される蓄電装置が知られている（特許文献１参照）。電極組立体は、正極と負極とが積層されることにより層状をなしている。電極組立体には、正極と負極との積層方向に向かって延びる一端面にタブ群が設けられている。タブ群は、積層方向と直交する方向に延在している。タブ群には、同一極性同士を接続する導電部材が設けられている。
【０００３】
上記の蓄電装置は、電極組立体とケースとの間を絶縁する絶縁シートを備えている。絶縁シートは、電極組立体を覆う箱状をなしている。絶縁シートは、電極組立体の積層方向の両端面を覆う一対の端面被覆部と、電極組立体の一端面と反対側の他端面を覆う底面被覆部と、電極組立体の積層方向の両端面及び電極組立体の他端面に直交する電極組立体の両側面を覆う一対の側面被覆部と、を備えている。
【０００４】
従来の絶縁シートについて図７を参照してさらに詳しく説明する。
図７に示すように、絶縁シート１００は、展開されている状態において、長四角状に形成されたベース部１０１と、当該ベース部１０１から絶縁シート１００の外周に延出した延出部１０２とからなり、全体として長四角状をなしている。ベース部１０１は、一対の端面被覆部１１１，１１１及び底面被覆部１１２により構成されている。一対の端面被覆部１１１，１１１と、底面被覆部１１２とは、絶縁シート１００の長辺方向に連続している。底面被覆部１１２は、一対の端面被覆部１１１,１１１に挟まれている。一対の端面被覆部１１１，１１１と底面被覆部１１２とは第１境界線Ｂ１及び第２境界線Ｂ２を介して連続している。延出部１０２は、一対の側面被覆部１１３，１１３及びはみ出し部１１４により構成されている。一対の側面被覆部１１３，１１３とベース部１０１とは絶縁シート１００の短辺方向に連続している。ベース部１０１は、一対の側面被覆部１１３，１１３に挟まれている。一対の側面被覆部１１３，１１３とベース部１０１とは第３境界線Ｂ３及び第４境界線Ｂ４を介して連続している。はみ出し部１１４は、ベース部１０１の短辺及び一対の側面被覆部１１３，１１３の短辺から絶縁シート１００の長辺方向に向かって延出している。一対の側面被覆部１１３，１１３は、第１境界線Ｂ１及び第２境界線Ｂ２の延長線によって連続する３つのパーツに区分される。３つのパーツは、一対の端面被覆部１１１，１１１の一方に連続する一対の第１パーツ１１３ａ，１１３ａと、一対の端面被覆部１１１，１１１の他方に連続する一対の第２パーツ１１３ｂ，１１３ｂと、底面被覆部１１２に連続する一対の第３パーツ１１３ｃ，１１３ｃとで構成されている。
【０００５】
このように構成された絶縁シート１００を使用して電極組立体を覆う場合、絶縁シート１００の各境界線Ｂ１，Ｂ２を折り曲げることにより電極組立体の両端面を一対の端面被覆部１１１，１１１により覆い、各境界線Ｂ３，Ｂ４を折り曲げることにより電極組立体の両側面を一対の側面被覆部１１３，１１３により覆う。
【０００６】
一対の側面被覆部１１３，１１３により電極組立体の両側面を覆うとき、第３パーツ１１３ｃが最外層に配置されつつ第１パーツ１１３ａ、第２パーツ１１３ｂ、及び第３パーツ１１３ｃが重なり合っている。
【０００７】
絶縁シート１００が展開された状態において、第１パーツ１１３ａ、第２パーツ１１３ｂ、及び第３パーツ１１３ｃが重なり合うことにより、第１パーツ１１３ａ及び第２パーツ１１３ｂには、斜め折り曲げ線Ｊが形成される。斜め折り曲げ線Ｊは、各境界線Ｂ１，Ｂ２，Ｂ３，Ｂ４が互いに直交する４つの直角交点Ｐｒを起点として各直角交点Ｐｒから離間するように斜めに延びている。
【先行技術文献】
【特許文献】
【０００８】
【特許文献１】特許第６３１４０８６号公報
【発明の概要】
【発明が解決しようとする課題】
【０００９】
ところで、絶縁シート１００の折り曲げ方によっては、斜め折り曲げ線Ｊの起点が、各直角交点Ｐｒから絶縁シート１００の短辺方向の外側に向けてずれる場合がある（図７の破線で示す）。その場合、絶縁シート１００により電極組立体を覆ったときに、第１境界線Ｂ１及び第２境界線Ｂ２と斜め折り曲げ線Ｊの交点が、電極組立体の積層方向に直交する方向において一対の側面被覆部１１３，１１３よりも外側に位置してしまう。そのため、絶縁シート１００が電極組立体の積層方向に直交する方向に向けて膨らんでしまう。よって、電極組立体及び絶縁シート１００をケースに収容するときの挿入性が低下してしまう。
【００１０】
本発明は、このような従来の技術に存在する問題点に着目してなされたものであり、その目的は、電極組立体及び絶縁シートのケースへの挿入性を向上させることができる蓄電装置を提供することにある。
【課題を解決するための手段】
【００１１】
上記課題を解決する蓄電装置は、正極と負極とが積層されるとともに、積層方向に向かって延びる一端面にタブ群が前記積層方向に直交する方向に延在する電極組立体と、前記電極組立体が挿入されるものであって前記電極組立体が挿入された状態で前記電極組立体との間に隙間が形成される有底角筒状の本体部材、及び当該本体部材の開口を塞ぐように設けられている蓋部材を有するケースと、前記電極組立体を覆うように設けられることで前記電極組立体と前記ケースとを絶縁する絶縁シートと、を備えた蓄電装置であって、前記絶縁シートは、前記電極組立体の前記積層方向の両端面を覆う一対の端面被覆部と、前記電極組立体の前記一端面と反対側の他端面を覆う底面被覆部と、前記電極組立体の前記両端面と前記電極組立体の前記他端面とに直交する前記電極組立体の両側面とを覆う一対の側面被覆部と、を備え、前記絶縁シートが展開された状態において、前記絶縁シートは、矩形状をなし、前記一対の端面被覆部、及び前記一対の端面被覆部の間に挟まれるとともに第１境界線及び第２境界線を介して前記一対の端面被覆部と連続する前記底面被覆部を有するベース部と、前記ベース部を挟み込むとともに前記第１境界線及び前記第２境界線に直交する第３境界線及び第４境界線を介して前記ベース部と連続する前記一対の側面被覆部を有する延出部と、を備え、前記一対の側面被覆部は、前記第１境界線及び前記第２境界線の延長線により３つのパーツに区分されており、前記３つのパーツは、前記一対の端面被覆部の一方に連続する一対の第１パーツと、前記一対の端面被覆部の他方に連続する一対の第２パーツと、前記底面被覆部に連続する一対の第３パーツとで構成され、前記電極組立体を前記絶縁シートで覆った状態で、前記一対の側面被覆部は、前記第３パーツが最外層に配置されるとともに前記第１パーツ、前記第２パーツ、及び前記第３パーツが重なるように折り曲げられることにより構成され、前記電極組立体を覆っている前記絶縁シートが展開されたとき、前記絶縁シートには、前記第３境界線及び前記第４境界線に沿って折り曲げられた第３折り曲げ線及び第４折り曲げ線上に配置される鋭角交点を通るように形成され、前記第１境界線に沿って折り曲げられた第１折り曲げ線と前記第３折り曲げ線及び前記第４折り曲げ線と交わるように、前記第２境界線に沿って折り曲げられた第２折り曲げ線と前記第３折り曲げ線及び前記第４折り曲げ線と交わるように形成されるとともに前記一対の端面被覆部を通過するように前記鋭角交点のそれぞれから離間するように斜めに延びる斜め折り曲げ線が形成されている。
【００１２】
電極組立体を絶縁シートにより覆ったものをケースの本体部材に挿入するとき、電極組立体と本体部材との間には隙間が形成されている。電極組立体の積層方向における当該隙間は、蓄電装置が充放電したときに正極及び負極が膨張することを考慮して設定されることが知られている。そのため、電極組立体をケースの本体部材に挿入するとき、積層方向における隙間と、積層方向に直交する方向における隙間とを比較すると、電極組立体の積層方向における隙間の方が大きく形成される。
【００１３】
これによれば、電極組立体を覆うように絶縁シートを折り曲げたとき、絶縁シートにおいて、斜め折り曲げ線の延長線と第１折り曲げ線及び第２折り曲げ線との交点と、鋭角交点と、第１境界線、第２境界線、第３境界線、及び第４境界線が互いに直交する直角交点とを結んで形成される三角部は、折れ曲がることができずにひずみが生じる。すなわち、三角部は、電極組立体を覆うように絶縁シートを折り曲げたとき、三角部を囲む端面被覆部、底面被覆部、側面被覆部に向けて逃げることができずに変形が生じる。よって、第３境界線及び第４境界線に沿って絶縁シートを折り曲げたとき、三角部は、電極組立体の積層方向における一対の端面被覆部よりも外側に膨らみが生じる。当該三角部は、積層方向における隙間に向かって膨らむ。そのため、三角部の膨らみが蓄電装置の性能に影響を及ぼさないし、且つ電極組立体を覆うように絶縁シートを折り曲げたときに絶縁シートが一対の側面被覆部よりも積層方向に直交する方向の外側に膨らむことが抑制される。したがって、電極組立体及び絶縁シートのケースへの挿入性を向上させることができる。
【００１４】
上記の蓄電装置において、前記第３境界線及び前記第４境界線上に形成され、前記第１境界線、前記第２境界線、前記第３境界線、及び前記第４境界線が互いに直交する直角交点から規定の距離だけ離れた位置に前記鋭角交点が形成されるべき目標点が示されているとよい。
【００１５】
これによれば、作業者が絶縁シートを折り曲げるときに目標点を折り曲げる箇所の指標とすることができる。そのため、絶縁シートの折り曲げ作業を効率良く実施することができる。
【発明の効果】
【００１６】
この発明によれば、電極組立体及び絶縁シートのケースへの挿入性を向上させることができる。
【図面の簡単な説明】
【００１７】
【図１】蓄電装置の斜視図。
【図２】電極組立体の分解斜視図。
【図３】蓄電装置の分解斜視図。
【図４】絶縁シートの展開形状を示した正面図。
【図５】絶縁シートの内部を示した部分斜視図。
【図６】（ａ）〜（ｃ）は、絶縁シートの折り曲げ手順を示した模式図。
【図７】従来絶縁シートの展開形状を示した正面図。
【発明を実施するための形態】
【００１８】
以下、蓄電装置を具体化した実施形態を図１〜図６にしたがって説明する。なお、本実施形態の蓄電装置は、車両（自動車及び産業用車両）に搭載されており、車両に搭載された走行用モータを駆動するのに用いられる。
【００１９】
図１に示すように、蓄電装置１０は、リチウムイオン二次電池である。蓄電装置１０は、電極組立体２０と、ケース３０と、絶縁シート４０と、を備えている。ケース３０には、電極組立体２０及び絶縁シート４０が収容されている。絶縁シート４０は、電極組立体２０を覆う箱状をなしている。絶縁シート４０は、電極組立体２０を覆うように設けられることで電極組立体２０とケース３０とを絶縁している。絶縁シート４０は、樹脂等により構成されている。
【００２０】
図１及び図２に示すように、電極組立体２０は、シート状の正極２１とシート状の負極２２とが積層されることにより長四角柱状に構成されている。電極組立体２０は、正極２１と負極２２との間にセパレータ２３を挟み込むことにより構成されている。セパレータ２３は、電気導電にかかるイオン（リチウムイオン）が通過可能な多孔質膜で形成されている。電極組立体２０は、正極２１と負極２２との積層方向Ｘに向かって延びる一端面Ｓ２に正極タブ群２４及び負極タブ群２５を備えている。正極タブ群２４及び負極タブ群２５は、各電極２１，２２に形成される同一極性同士のタブ２４ａ，２５ａが積層されることにより構成される。正極タブ群２４及び負極タブ群２５は、電極組立体２０の一端面Ｓ２から積層方向Ｘに直交する方向に延在している。正極タブ群２４及び負極タブ群２５には、ケース３０の外部からアクセス可能な正極端子２６及び負極端子２７と、各端子２６，２７及び各タブ群２４，２５の同一極性同士を接続する正極導電部材２８及び負極導電部材２９とが接続されている。
【００２１】
図１に示すように、ケース３０は、本体部材３１と、蓋部材３２とを有している。本体部材３１は、有底角筒状をなしている。本体部材３１は、電極組立体２０を収容している。本体部材３１は、電極組立体２０が長四角柱状をなしていることに対応して内部空間が長四角筒状に形成されている。本体部材３１の大きさは、内部空間に電極組立体２０が挿入されるときに電極組立体２０の外面との間に隙間Ｍが形成される程度に設定されている。積層方向Ｘにおける当該隙間Ｍは、蓄電装置１０が充放電したときに正極２１及び負極２２が膨張することを考慮して設定されている。電極組立体２０を本体部材３１に挿入するとき、積層方向Ｘにおける当該隙間Ｍは、積層方向Ｘに直交する方向における当該隙間Ｍよりも大きく形成されている。蓋部材３２は、本体部材３１の開口３１ａを塞ぐように設けられている。蓋部材３２は、本体部材３１の開口３１ａに溶接されている。蓋部材３２を本体部材３１に溶接させた状態で、電極組立体２０の各端子２６，２７は、蓋部材３２を貫通してケース３０の外部に露出している。このとき、各端子２６，２７と、蓋部材３２との間には絶縁リング８０が設けられている。絶縁リング８０は、蓋部材３２を貫通してケース３０の内外に位置している。絶縁リング８０が設けられることにより電極組立体２０の各端子２６，２７とケース３０の蓋部材３２との絶縁性が確保されている。
【００２２】
図１及び図３に示すように、電極組立体２０には、面取り部Ｓ５が形成されている。面取り部Ｓ５は、電極組立体２０の他端面Ｓ３と両端面Ｓ１との境界部分に形成されている。すなわち、電極組立体２０をケース３０に収容した状態で、電極組立体２０の面取り部Ｓ５と、ケース３０の内面との間には所定の隙間が形成される。
【００２３】
絶縁シート４０は、一対の端面被覆部４１，４１と、底面被覆部４２と、一対の側面被覆部４３，４３とを備えている。一対の端面被覆部４１，４１は、電極組立体２０の積層方向Ｘの両端面Ｓ１を覆う部分である。底面被覆部４２は、電極組立体２０の一端面Ｓ２と反対側の他端面Ｓ３を覆う部分である。一対の側面被覆部４３，４３は、電極組立体２０の両端面Ｓ１と電極組立体２０の他端面Ｓ３とに直交する電極組立体２０の両側面Ｓ４を覆う部分である。また、絶縁シート４０は、一対の端面被覆部４１，４１と一対の側面被覆部４３，４３と連続するはみ出し部４４を備えている。はみ出し部４４は、電極組立体２０の正極タブ群２４及び負極タブ群２５の突出方向に向かって延びている。はみ出し部４４は、正極タブ群２４、負極タブ群２５、正極導電部材２８、及び負極導電部材２９の周囲を取り囲むように配置されている。
【００２４】
図４に示すように、絶縁シート４０が展開された状態において、絶縁シート４０は、長四角状に形成されたベース部６１と、ベース部６１から絶縁シート４０の外周に向けて延出した延出部６２とからなり、全体として長四角状（矩形状）をなしている。ベース部６１は、一対の端面被覆部４１，４１及び底面被覆部４２により構成されている。一対の端面被覆部４１，４１と、底面被覆部４２とは絶縁シート４０の長辺方向に連続している。底面被覆部４２は、一対の端面被覆部４１，４１に挟まれている。一対の端面被覆部４１，４１と、底面被覆部４２とは第１境界線Ｂ１及び第２境界線Ｂ２を介して連続している。延出部６２は、一対の側面被覆部４３，４３及びはみ出し部４４により構成されている。一対の側面被覆部４３，４３とベース部６１とは、絶縁シート４０の短辺方向に連続している。ベース部６１は、一対の側面被覆部４３，４３に挟まれている。一対の側面被覆部４３，４３と、ベース部６１とは第３境界線Ｂ３及び第４境界線Ｂ４を介して連続している。はみ出し部４４は、ベース部６１の短辺及び一対の側面被覆部４３，４３の短辺から絶縁シート４０の長辺方向に向かって延出している。一対の側面被覆部４３，４３は、第１境界線Ｂ１及び第２境界線Ｂ２の延長線によって連続する３つのパーツに区分される。３つのパーツは、一対の端面被覆部４１，４１の一方の短辺に連続する一対の第１パーツ４３ａ，４３ａと、一対の端面被覆部４１，４１の他方の短辺に連続する一対の第２パーツ４３ｂ，４３ｂと、底面被覆部４２の短辺に連続する一対の第３パーツ４３ｃ，４３ｃとで構成されている。
【００２５】
このように構成された絶縁シート４０で電極組立体２０を覆う場合、絶縁シート４０は、各境界線Ｂ１，Ｂ２を折り曲げることで電極組立体２０の両端面Ｓ１を一対の端面被覆部４１，４１により覆う。また、絶縁シート４０は、各境界線Ｂ３，Ｂ４に沿って折り曲げ、第１パーツ４３ａ、第２パーツ４３ｂ、及び第３パーツ４３ｃが重なるように折り曲げることで電極組立体２０の両側面Ｓ４を一対の側面被覆部４３，４３で覆う。
【００２６】
絶縁シート４０についてより詳しく説明する。
図１及び図４に示すように、電極組立体２０を覆っている絶縁シート４０を展開したとき、絶縁シート４０には、第１境界線Ｂ１に沿って折り曲げられた第１折り曲げ線Ｂ１´、第２境界線Ｂ２に沿って折り曲げられた第２折り曲げ線Ｂ２´が形成されている。また、絶縁シート４０には、第３境界線Ｂ３に沿って折り曲げられた第３折り曲げ線Ｂ３´、及び第４境界線Ｂ４に沿って折り曲げられた第４折り曲げ線Ｂ４´が形成されている。また、絶縁シート４０の第１パーツ４３ａ及び第２パーツ４３ｂには、斜め折り曲げ線Ｊが形成されている。斜め折り曲げ線Ｊは、第３折り曲げ線Ｂ３´及び第４折り曲げ線Ｂ４´上に配置される鋭角交点Ｐａを通る。鋭角交点Ｐａは、各折り曲げ線Ｂ１´，Ｂ２´，Ｂ３´，Ｂ４´が互いに直交する４つの直角交点Ｐｒよりも絶縁シート４０の長辺方向の外側に配置されている。斜め折り曲げ線Ｊは、各鋭角交点Ｐａから離間するように斜めに延びている。斜め折り曲げ線Ｊは、各鋭角交点Ｐａを起点として延びている。斜め折り曲げ線Ｊは、一対の端面被覆部４１，４１を通過するように設けられている。より具体的には、斜め折り曲げ線Ｊは、斜め折り曲げ線Ｊの延長線が一対の端面被覆部４１，４１を通過するように設けられている。
【００２７】
図１、図４及び図５に示すように、絶縁シート４０には、斜め折り曲げ線Ｊの延長線と第１折り曲げ線Ｂ１´及び第２折り曲げ線Ｂ２´との交点Ｐから鋭角交点Ｐａまでの第１線分Ｌ１と、各直角交点Ｐｒから鋭角交点Ｐａまでの第２線分Ｌ２と、第１折り曲げ線Ｂ１´又は第２折り曲げ線Ｂ２´とで囲まれることにより三角部Ｒが形成される。電極組立体２０を覆うように絶縁シート４０を折り曲げたとき、三角部Ｒは折れ曲がることができずにひずみが生じる。すなわち、三角部Ｒは、電極組立体２０を覆うように絶縁シート４０を折り曲げたとき、三角部Ｒを囲む端面被覆部４１、底面被覆部４２、側面被覆部４３に向けて逃げることができずに変形が生じる。よって、三角部Ｒは、電極組立体２０の積層方向Ｘにおける一対の端面被覆部４１，４１よりも外側に膨らみが生じる。ただし、当該三角部Ｒの膨らみは、電極組立体２０をケース３０の本体部材３１に挿入するとき、本体部材３１と電極組立体２０との間の積層方向における隙間Ｍに挿入可能な大きさを有する膨らみである。そのため、本実施形態では、三角部Ｒの膨らみが蓄電装置１０の性能に影響を及ぼすことはない。
【００２８】
また、電極組立体２０を覆うように絶縁シート４０を折り曲げたとき、鋭角交点Ｐａは、底面被覆部４２から浮いた状態で一対の側面被覆部４３，４３と同一平面上に配置されている。
【００２９】
ここで、絶縁シート４０の折り曲げ方について図６（ａ）〜図６（ｃ）にしたがって説明する。
図６（ａ）に示すように、最初に、展開された絶縁シート４０の底面被覆部４２と電極組立体２０の他端面Ｓ３とが重なるように配置された状態で、絶縁シート４０が第１境界線Ｂ１及び第２境界線Ｂ２に沿って折り曲げられる。これにより、電極組立体２０の積層方向Ｘの両端面Ｓ１が一対の端面被覆部４１，４１によって覆われる。
【００３０】
図６（ｂ）に示すように、次に、絶縁シート４０が第３境界線Ｂ３及び第４境界線Ｂ４に沿って折り曲げられる。絶縁シート４０は、第１パーツ４３ａ、第２パーツ４３ｂ、及び第３パーツ４３ｃが重なるように折り曲げられる。一対の端面被覆部４１，４１が電極組立体２０の両端面Ｓ１を覆っている状態で、絶縁シート４０を各境界線Ｂ３，Ｂ４に沿って折り曲げるとき、第１パーツ４３ａ及び第２パーツ４３ｂには、斜め折り曲げ線Ｊが形成されるが、当該斜め折り曲げ線Ｊの起点が底面被覆部４２から規定の距離Ｄ分だけ浮いた位置となるように折り曲げる。斜め折り曲げ線Ｊが形成されたときに斜め折り曲げ線Ｊと第３折り曲げ線Ｂ３´及び第４折り曲げ線Ｂ４´との鋭角交点Ｐａが形成される。これにより、電極組立体２０の両側面Ｓ４が一対の側面被覆部４３，４３によって覆われる。
【００３１】
ここで、鋭角交点Ｐａの位置が底面被覆部４２から浮き過ぎていると、三角部Ｒが大きくなってしまう。ひいては絶縁シート４０を折り曲げたときの三角部Ｒの積層方向Ｘにおける一対の端面被覆部４１，４１の外側への膨らみが増してしまうことがある。そのため、本実施形態の規定の距離Ｄとは、絶縁シート４０を折り曲げたときに形成される三角部Ｒの一対の端面被覆部４１，４１の外側への膨らみが、電極組立体２０をケース３０の本体部材３１に挿入するときに三角部Ｒと本体部材３１とが干渉しないことを予め実験的に確認した上設定される。また、三角部Ｒの一対の端面被覆部４１，４１の外側への膨らみが、三角部Ｒが本体部材３１に必要以上に摩擦しないことを予め実験的に確認した上で設定される。すなわち、蓄電装置１０の性能に影響を及ぼさないことを予め実験的に確認した上で設定される。
【００３２】
図６（ｃ）に示すように、一対の側面被覆部４３，４３により電極組立体２０の両側面Ｓ４が覆われた状態で絶縁シート４０の一対の端面被覆部４１，４１と一対の側面被覆部４３，４３とに連続するはみ出し部４４が電極組立体２０の正極タブ群２４、負極タブ群２５、正極導電部材２８、及び負極導電部材２９と取り囲むように配置される。一対の端面被覆部４１，４１、底面被覆部４２、一対の側面被覆部４３，４３、及びはみ出し部４４により電極組立体２０が覆われた状態で各パーツ４３ａ，４３ｂ，４３ｃが重なっている箇所と第２パーツ４３ｂとに跨るように固定テープ８１が張り付けられる。これにより、絶縁シート４０の折り曲げが完了する。
【００３３】
本実施形態では以下の作用及び効果を得ることができる。
（１）本実施形態では、電極組立体２０を覆うように絶縁シート４０を折り曲げたとき、絶縁シート４０において、斜め折り曲げ線Ｊの延長線と第１折り曲げ線Ｂ１´及び第２折り曲げ線Ｂ２´との交点Ｐと、鋭角交点Ｐａと、直角交点Ｐｒとを結んで形成される三角部Ｒは、折れ曲がることができずにひずみが生じる。すなわち、三角部Ｒは、電極組立体２０を覆うように絶縁シート４０を折り曲げたとき、三角部Ｒを囲む端面被覆部４１、底面被覆部４２、側面被覆部４３に向けて逃げることができずに変形が生じる。よって、第３境界線Ｂ３及び第４境界線Ｂ４に沿って絶縁シート４０を折り曲げたとき、三角部Ｒは、電極組立体２０の積層方向Ｘにおける一対の端面被覆部４１，４１よりも外側に膨らみが生じる。三角部Ｒは、積層方向Ｘにおける隙間Ｍに向かって膨らむ。そのため、三角部Ｒの膨らみが蓄電装置１０の性能に影響を及ぼさないし、且つ電極組立体２０を覆うように絶縁シート４０を折り曲げたときに絶縁シート４０が一対の側面被覆部４３，４３よりも積層方向Ｘに直交する方向の外側に膨らむことが抑制される。したがって、電極組立体２０及び絶縁シート４０のケース３０への挿入性を向上させることができる。
【００３４】
（２）本実施形態では、絶縁シート４０が一対の側面被覆部４３，４３よりも積層方向Ｘに直交する方向の外側に膨らむことが抑制できる。そのため、電極組立体２０及び絶縁シート４０をケース３０に収容するときの絶縁シート４０とケース３０との干渉を避けるために電極組立体２０を小さく設計する必要がなくなる。よって、蓄電装置１０の電池容量を維持することができる。
【００３５】
（３）絶縁シート４０とケース３０との干渉を避ける手法としては、ケース３０を大きく設計することが考えられる。しかし、蓄電装置１０は車両に搭載されるものである。ケース３０を大きく設計してしまうことで、蓄電装置１０のサイズも大きくなり、ひいては蓄電装置１０の車両への搭載性が低下してしまうことが考えられる。その点、本実施形態では、（１）の効果が得られるため、ケース３０を大きく設計する必要がない。よって、蓄電装置１０の車両への搭載性を維持することができる。
【００３６】
（４）（１）の効果が得られることで、絶縁シート４０とケース３０との摩擦が抑制できる。そのため、絶縁シート４０の電極組立体２０とケース３０との絶縁性を維持することができる。
【００３７】
（５）絶縁シート４０とケース３０との干渉を避ける手法としては、絶縁シート４０を複数のパーツに分解し、電極組立体２０の一対の端面被覆部４１，４１、底面被覆部４２、及び一対の側面被覆部４３，４３に張り付ける構成を採用することが考えられる。また、絶縁シート４０の電極組立体２０の両端面Ｓ１、他端面Ｓ３、及び両側面Ｓ４を覆う部分以外を切り取る。切り取った絶縁シート４０を使用して電極組立体２０を覆うことが考えられる。その点、本実施形態では、１枚の絶縁シート４０により電極組立体２０を覆うことができる。よって、絶縁シート４０を加工する工程、もしくは絶縁シート４０を張り付ける工程を必要としないため、蓄電装置１０の製造コストを高くすることがない。したがって、蓄電装置１０の製造コストを維持することができる。
【００３８】
（６）電極組立体２０をケース３０に収容した状態で、電極組立体２０の面取り部Ｓ５と、ケース３０の内面との間には所定の隙間が形成されている。仮に絶縁シート４０の三角部Ｒがケース３０の本体部材３１に押し付けられるように電極組立体２０の正極２１及び負極２２が膨張したとしても絶縁シート４０の三角部Ｒは、当該所定の隙間に逃げ込む余地がある。そのため、三角部Ｒに対して必要以上に歪を与えることがなくなる。ひいては、絶縁シート４０の三角部Ｒの破れ等の劣化の発生が抑制でき、絶縁シート４０の電極組立体２０とケース３０との間の絶縁性を維持することができる。
【００３９】
なお、本実施形態は、以下のように変更して実施することができる。本実施形態及び以下の変更例は、技術的に矛盾しない範囲で互いに組み合わせて実施することができる。
〇  絶縁シート４０は、一対の端面被覆部４１，４１、底面被覆部４２、一対の側面被覆部４３，４３を備え、はみ出し部４４を備えない構成としてもよい。
【００４０】
〇  本実施形態では、絶縁シート４０を折り曲げるときに底面被覆部４２から規定の距離Ｄの位置に鋭角交点Ｐａが配置されるように斜め折り曲げ線Ｊを形成したが、これに限らない。
【００４１】
例えば、第３境界線Ｂ３及び第４境界線Ｂ４上に形成され、直角交点Ｐｒから規定の距離Ｄだけ離れた位置に鋭角交点Ｐａが形成されるべき目標点Ｐｇが示されていてもよい。
これによれば、作業者が絶縁シート４０を折り曲げるときに目標点Ｐｇを折り曲げる箇所の指標とすることができる。そのため、絶縁シート４０の折り曲げ作業を効率良く実施することができる。
【００４２】
〇  本実施形態では、斜め折り曲げ線Ｊは、第１パーツ４３ａ、第２パーツ４３ｂ、及び第３パーツ４３ｃを重ね合わせたときに形成されるものであったが、例えば、絶縁シート４０を折り曲げる前に斜め折り曲げ線Ｊをつけておいてもよい。
【００４３】
〇  また、絶縁シート４０の折り曲げ作業は、作業者ではなく機械等を使用して自動化してもよい。この場合、絶縁シート４０の底面被覆部４２から所定距離Ｄの位置を折り曲げるように機械等を制御することが好ましい。
【００４４】
〇  展開された状態の絶縁シート４０は、長四角状であったが、正方形状であってもよい。すなわち、展開された状態の絶縁シート４０は、矩形状であればよい。
〇  絶縁シート４０の各折り曲げ線Ｂ１´，Ｂ２´，Ｂ３´，Ｂ４´は、各境界線Ｂ１，Ｂ２，Ｂ３，Ｂ４に沿って折り曲げられていれば、若干ずれが生じていてもよい。
【００４５】
〇  各境界線Ｂ１，Ｂ２，Ｂ３，Ｂ４は、絶縁シート４０に事前に設けられる罫線であってもよいし、仮想線としてもよい。
〇  本実施形態の（２）の効果において、仮に電極組立体２０を小さく設計するのであれば、電極組立体２０を構成する正極２１及び負極２２のうち負極２２を小さく設計することが考えられる。これは、蓄電装置１０の性能上、負極２２は正極２１をシート面を覆える程度に大きく設定されているためである。負極２２を小さく設計した場合、正極２１と負極２２とを積層するときに正極２１をより正確に負極２２に対向するように積層する必要があり、正極２１及び負極２２の積層の精度が要求される。
【００４６】
しかし、本実施形態では、上記した（１）の効果が得られるため、電極組立体２０を小さく設計する必要はない。ひいては負極２２を小さく設計する必要もないため、電極組立体２０及び蓄電装置１０の製造コストを維持することができる。
【００４７】
〇  電極組立体２０は、長四角柱状に限らず、矩形柱状をなしていればよい。また、電極組立体２０の形状に応じて本体部材３１の内部空間を適宜変更するとよい。
〇  電極組立体２０には、面取り部Ｓ５が形成されているが、面取り部Ｓ５を備えていなくてもよい。
【００４８】
〇  本実施形態では、電極組立体２０を覆うように絶縁シート４０を折り曲げたとき、
各パーツ４３ａ，４３ｂ，４３ｃが重なっている箇所と第２パーツ４３ｂとに跨るように固定テープ８１が張り付けていたが、これに限らない。例えば、固定テープに代替して接着剤を使用してもよい。また、固定テープによる固定ではなく、超音波を用いた溶着を採用してもよい。
【００４９】
〇  蓄電装置１０は、リチウムイオン二次電池に限らず、ニッケル水素電池等の他の二次電池でもよい。
〇  蓄電装置１０は、二次電池に限らず、例えば、電気二重層キャパシタやリチウムイオンキャパシタ等のキャパシタであってもよい。
【符号の説明】
【００５０】
１０…蓄電装置、２０…電極組立体、２１…正極、２２…負極、２４…正極タブ群、２５…負極タブ群、３０…ケース、３１…本体部材、３１ａ…本体部材の開口、３２…蓋部材、４０…絶縁シート、４１…端面被覆部、４２…底面被覆部、４３…側面被覆部、４３ａ…第１パーツ、４３ｂ…第２パーツ、４３ｃ…第３パーツ、４４…はみ出し部、６１…ベース部、６２…延出部、Ｘ…積層方向、Ｓ１…両端面、Ｓ２…一端面、Ｓ３…他端面、Ｓ４…両側面、Ｍ…隙間、Ｂ１…第１境界線、Ｂ２…第２境界線、Ｂ３…第３境界線、Ｂ４…第４境界線、Ｂ１´…第１折り曲げ線、Ｂ２´…第２折り曲げ線、Ｂ３´…第３折り曲げ線、Ｂ４´…第４折り曲げ線、Ｊ…斜め折り曲げ線、Ｐｒ…直角交点、Ｐａ…鋭角交点、Ｐｇ…目標点、Ｄ…規定の距離。
【図１】
2020047532.tif 000003
【図２】
2020047532.tif 000004
【図３】
2020047532.tif 000005
【図４】
2020047532.tif 000006
【図５】
2020047532.tif 000007
【図６】
2020047532.tif 000008
【図７】
2020047532.tif 000009